(57)【特許請求の範囲】
【請求項１】
先行して設置した安全管理の回路が完成している既設のエレベータであって、
エレベータのかごの内部と管理室を結ぶ音声回路が設置してあるエレベータにおいて、
この音声回路に、音声回路からの信号を取り出す取り出し回路を追加して接続して、
この取り出し回路からの信号を、外部のコントロールセンターに無線のネットワークを介在して送信できるように構成し、
取り出し回路には、
一定値以上の音声信号を検出するための、ベースバンド信号の検出とデジタルデータを変調した信号の検出、判定機能をもつ判定装置を介在させて構成した、
エレベータの安全管理システム。
【発明の詳細な説明】
【技術分野】
【０００１】
本発明は、エレベータの管理システムに関するものである。
【背景技術】
【０００２】
従来のエレベータではエレベータのメーカーは事故の防止のために各種の事故防止システムを構築し、エレベータやシャフト、駆動機構、制御機構に組み込んでいる。
したがって、それ自体は独立した安全システムとして機能しているはずである。
しかし現実には多数の人身にかかわる事故が頻繁に発生している。
【特許文献１】特開平６−１６３５４号公報。
【特許文献２】特開２００４−９１１７６号公報。
【発明の開示】
【発明が解決しようとする課題】
【０００３】
それらの事故の原因を究明してゆくと、従来のエレベータの監視システムは、そのエレベータを製造したメーカーによって開発され取り付けられた、閉鎖された回路であることも原因のひとつとなっていることが推測できる。
すなわち、現在のエレベータの安全システムでは、一企業内の開発力に依存しており、第三者的な視点からの監査システムは存在していない。
そのために、対象とするエレベータのメーカー以外の第三者による監視システムの構築が期待されている。
【課題を解決するための手段】
【０００４】
上記のような課題を解決するために、本発明のエレベータの安全管理システムは、先行して設置した安全管理の回路が完成している既設のエレベータであって、エレベータのかごの内部と管理室を結ぶ音声回路が設置してあるエレベータにおいて、この音声回路に、音声回路からの信号を取り出す取り出し回路を追加して接続して、この取り出し回路からの信号を、外部のコントロールセンターに無線のネットワークを介在して送信できるように構成し、
取り出し回路には、一定値以上の音声信号を検出するための、ベースバンド信号の検出とデジタルデータを変調した信号の検出、判定機能をもつ判定装置を介在させて構成したことを特徴とするものである。
【発明の効果】
【０００５】
本発明のエレベータの管理システムは以上説明したようになるから次のような効果を得ることができる。
＜１＞エレベータの設置時に設置した安全管理回路は、それだけで十分に安全管理の機能を果たせるはずである。
しかし先行して設置した装置とは独立させて新設の管理回路を設けることによって、別の視点からより確実な独立した安全管理を行うことができる。
＜２＞第三者が、エレベータメーカーとは独立した監視システムを後付けする場合に、常に昇降を続ける「かご」と、外部との信号の授受には特別な設備が必要となり高額なものとなってしまう。
しかし本発明では既設の音声回路を流用するから、移動中のかごと外部を接続するための複雑な配線が不要である。
＜３＞かご内の人が手動スイッチを押さなくとも、あるいは押せなくとも、外部において異常を検知することができる。
＜４＞異常を検知したら、外部から自動音声で安否を問いかけるだけでも、犯罪などを抑止することができる。
＜５＞管理者側は、手動スイッチが押されるまで消極的に待つのではなく、一定値異常の音や振動を自動検知することによって、積極的な呼びかけを行うシステムとして商品価値がある。
【発明を実施するための最良の形態】
【０００６】
以下図面を参照にしながら本発明の好適な実施の形態を詳細に説明する。
【実施例】
【０００７】
＜１＞前提条件。
本発明のシステムは、先行して安全管理の回路が完成しているエレベータに後から追加して設置するシステムである。
そして本発明のシステムは、こうした先行して設置された既設の安全管理回路とは独立した回路を新設して、既設の回路とは独立した安全管理を行うエレベータの安全管理システムである。
もちろん、既設のエレベータにも研究を重ねた各種の安全装置が配置してある。
しかし従来の問題点で記したように、従来のエレベータの監視システムは、エレベータのメーカーによって開発され取り付けられた、閉鎖された回路である。
一企業内で開発され設置された、閉鎖された回路であることから、第三者的な視点からの監査システムは存在せず、これが最近のエレベータ事故の発生の原因のひとつと考えられている。
その点で本発明のシステムは、すでに設置してあるエレベータのシステムに外部から第三者によって設置するものである。
そのために、エレベータのメーカー以外の第三者による監視システムとしての機能を果たすことができ、より確実な安全管理を期待することができる。
【０００８】
＜２＞音声回路の転用。
エレベータのかご２はシャフト６内を常に上下動している。
そのような常時移動するかご２から、有線回路で信号を取り出すシステムを、費用と時間をかけずに追加して設置することは簡単ではない。
特に狭いシャフト６の内部にすでに多数本のケーブルが配置されているエレベータにおいては、ケーブルや配線を追加することは多大の手数、費用、時間を要することになりきわめて不経済なことになる。
その点で本発明のシステムでは、エレベータのかご２の内部と同じビル内の管理室３を結ぶ既設の音声回路１を利用する。
前記したように、音声回路１はすべての既存のエレベータのかご２にはすべて設置してある。
そこで、この音声回路１の途中に、信号の取り出し回路９を接続して安全管理に利用するものある。
【０００９】
＜３＞マイクなどの利用。
取り出し回路９を使用して、かご２内の既設のマイク１１とスピーカ１２を利用する。
すなわち、エレベータのかご２の内部には必ずスピーカ１２とマイク１１が設置してある。
そのマイク１１からエレベータのかご２の内部の音声をひろって、取り出し回路９によって、離れたコントロールセンター７まで有線、あるいは無線のネットワーク８を介在して送信する。
一方、スピーカ１２は、コントロールセンター７側からかご２内への積極的な呼びかけなどに利用できる。
すなわち、ネットワーク８を通したコントロールセンター７などからの監視員の肉声、あるいは録音してある音声の自動再生の信号を、かご２の内部に設置したスピーカ１２を使用してかご２内の利用者への呼びかけに利用するものである。
このように、既設の音声回路１の中間に接続した、取り出し回路９を利用して、かご２内のマイク１１からの音声信号の取入れと、スピーカ１２からの音声の取り出しを行う。
【００１０】
＜４＞判定装置の介在。
上記した取り出し回路９には判定装置４を介在させる。
すなわちエレベータのかご２と、コントロールセンター７とを直接、間接に接続する取り出し回路９の途中に、判定装置４を設置する。
この判定装置４は、一定値以上のデシベルの音声信号が入力した場合にそれを検出することのできる装置である。
例えば、一定値以上の音声信号を検出するための、ベースバンド信号の検出とデジタルデータを変調した信号の検出・判定機能をもつ判定装置を利用する。
あるいは一定時間以上の時間、同一の音声が継続した場合を検出することができる装置である。
前記したようにエレベータのかご２の内部にはマイク１１が設置してあるが、かご２の内部で犯罪、その他の緊急事態が発生したに落ち着いてマイク１１を介して呼び出しを行えるとは限らない。
また犯罪の場合には犯行者は、被害者がマイク１１を使った伝達を阻止しようとすることが当然である。
その場合に、マイク１１を通した音声のうちで、一定値以上の信号、あるいは一定時間以上継続する信号を検知できれば、被害者が大声を出していたり、事故による異常音の発生であることが分かるから、その後に各種の対応を採用することができる。
【００１１】
＜５＞かご内部へのセンサーの設置。
エレベータのかご２の内部に各種のセンサー１３を設置する。
センサーとは、物理量を信号に変換する電気回路構成要素であり、その場合の信号としては主に電気信号を利用する。
センサーは、具体的には荷重計、加速度計、レベル計、振動計、光センサー、温度計、振動計、電流計などである。
それらの内の少なくともひとつのセンサー１３をかご２の内部に取り付け、それらのセンサー１３からの信号を、取り出し回路９を使用して外部へ取り出すように構成する。
その取り出し回路９に一定値以上の信号を検出することができる判定装置４を介在させることができる。
あるいは判定装置４を介在させず、その信号のままコントロールセンター７まで伝達して監視員が目視して判断する構成を採用することもできる。
【００１２】
＜６＞制御室５へのセンサー１３の設置。
以上の説明は昇降するかご２の内部へセンサー１３を設置して取り出し回路９を介して外部へ取り出すシステムであった。  
しかし機械的な故障は、かご２内で異常が検知できたときはすでに手遅れである可能性もある。
そこでエレベータのかご２の昇降を制御する制御室５の内部に、後付のセンサー１３を設けてその信号を取り出して判断することも可能である。
制御室５へ取り付けるセンサー１３としては、マイク１１以外に、温度計、振動計、電流計の内の少なくともひとつのセンサー１３を採用することができる。
制御室５は移動しないから、これらの信号は、必ずしもかご２の内外を連結する音声回路１を通した取り出し回路９を使う必要はないが、しかしすでに音声回路１は管理室３まで到達するように配線されている。
そこでそれらのセンサー１３からの信号を、エレベータ内部と管理室３を結ぶ音声回路１に接続した取り出し回路９を使用して外部へ取り出すよう構成し、その取り出し回路９には、一定値以上の信号を検出することができる判定装置４を介在させて構成すれば経済的である。
【００１３】
＜７＞シャフト内へのセンサーの設置。
エレベータのかご２が昇降するシャフト６の内部に、後付けのセンサー１３を設置する。
かご２内で異常が検知できる以前にシャフト６内で異常が検出できる場合がある。
例えばシャフト６内での異音の発生、温度の異常な上昇、出水のシャフト６内への流入などをシャフト６内で検知することができれば、早急な対応が可能となる。
センサー１３としてはたとえば集音機、温度計、水位計、地震計の内の少なくともひとつである。
それらのセンサー１３からの信号を、エレベータ内部と管理室３を結ぶ音声回路１に接続した取り出し回路９を使用して外部のコントロールセンター７へ取り出すよう構成する。
そしてその取り出し回路９には、一定値以上の信号を検出することができる判定装置４を介在させる。
【００１４】
＜８＞かご２内への呼びかけ。
上記した各種のセンサー１３からの信号が一定値以上であった場合に、その状態は判定装置４によって検出できる。
検出したら、たとえばエレベータ内部のスピーカ１２を使用して、コントロールセンター７から取り出し回路９を介して、エレベータ内部に自動音声を伝達できるように構成することができる。
肉声ではなく、自動音声で呼びかけた場合でも、犯行者を威嚇する効果が期待できる。
その他の事故の場合にもかご２内の利用者に落ち着いた行動を促すことができ、二次災害の発生を抑止できる。
【図面の簡単な説明】
【００１５】
【図１】本発明のエレベータの管理システムの実施例の説明図
【符号の説明】
【００１６】
１：既設の音声回路
２：かご
３：同じ建物内の管理室
４：判定装置
５：制御室
６：シャフト
７：コントロールセンター
８：ネットワーク
９：取り出し回路
【図１】
0005225650.tif 000002